(57)【要約】 【課題】  ニチノール製アーチで歯列矯正するパーツを収納するキットを提供する。【解決手段】  本発明のパーツキットは、（Ａ）所定形状のニチノール製歯列矯正用アーチと、（Ｂ）貫通孔を有する複数個の銀製の小球とを有する。使用時に、前記小球の貫通孔内に前記歯列矯正用アーチが挿入され、前記小球は、前記歯列矯正用アーチに固定されるまで平坦化される。本発明の歯列矯正をする方法は、（Ａ）歯にブラケットとバンドを配置するステップと、（Ｂ）歯を整合するステップと、（Ｃ）ブラケットを再配置するステップと、（Ｄ）仮トルクをかけるステップと、（Ｅ）トルクをかけ終了処理を行うテップとを有する。【選択図】  図３
2009518107.tif 000002
【特許請求の範囲】
【請求項１】
所定形状のニチノール製アーチにより歯列矯正するパーツキットにおいて、
（Ａ）所定形状のニチノール製歯列矯正用アーチと、
（Ｂ）貫通孔を有する複数個の銀製の小球と、
を有し、
前記小球の貫通孔内に前記歯列矯正用アーチが挿入され、
前記小球は、前記歯列矯正用アーチに固定されるまで平坦化される
ことを特徴とする予め形成したニチノール製アーチを有する歯列矯正用パーツキット。
【請求項２】
（Ｃ）前記小球を変形させるクランプ部材をさらに有する
ことを特徴とする請求項１記載の歯列矯正用パーツキット。
【請求項３】
（Ｄ）アストリンジェン溶液を含む容器をさらに有し、
前記溶液は、前記ニチノール製アーチに付着した食べ物の残りかすと脂肪と唾液を取り除く
ことを特徴とする請求項１または２記載の歯列矯正用パーツキット。
【請求項４】
ニチノール製ワイヤを有する所定形状の歯列矯正用アーチにおいて、
複数の小球を変形することにより形成された停止部材が、前記ワイヤに所定の距離で当たる
ことを特徴とするニチノール製ワイヤを有する所定形状の歯列矯正用アーチ。
【請求項５】
歯列矯正をする方法において、
（Ａ）歯にブラケットとバンドを配置するステップと、
（Ｂ）歯を整合するステップと、
（Ｃ）ブラケットを再配置するステップと、
（Ｄ）仮トルクをかけるステップと、
（Ｅ）トルクをかけ終了措置を施すステップと、
を有し、
前記（Ｂ）歯を整合するステップは、矯正歯科医の基準に基づいて選択されたワイヤの手段により実行され、
前記ワイヤは、丸まって所定形状の１２番のニチノール製アーチからなり、
停止部材が配置されべき前記アーチ内の正確な場所をマークする為に、患者の歯列矯正のために、前記アーチに対し測定が最初になされ、その後、前記アーチから食べ物の残りかすと脂肪を取り除くために、アーチをアストリンジェンで処理し、これにより、食べ物の残りかすと脂肪が、前記停止部材に付着するのを阻止し、
その後、前記アーチと歯に取り付けられたブラケットとの間の自由空間の面積を測定し、
その後、前記アーチの端部が大臼歯のバンドのチューブ内に導入され、
その後、前記アーチは、前記ブラケット内に導入されて、モジュール手段である結紮材料により保持され、
最終的に、患者の頬の組織を損傷するのを阻止するために、前記アーチの余分な端部を切り落とす
ことを特徴とする歯列矯正方法。
【請求項６】
前記（Ｂ）歯を整合するステップにおいて、歯の咬合を修正する為に、プレートを用いる
ことを特徴とする請求項５記載の歯列矯正方法。
【請求項７】
前記（Ｂ）歯を整合するステップにおいて、抜歯が行われた場合、遠端方向または中間方向へのの動きにより、抜歯後のスペースを閉じる
ことを特徴とする請求項５記載の歯列矯正方法。
【請求項８】
前記（Ｂ）歯を整合するステップにおいて、前記歯のレべリングが行われなかった場合、シュペー彎曲（curve of Spee）のレべリングが、歯を歯茎の内側で隣接する歯に対し垂直方向に動かすために、行われる
ことを特徴とする請求項５記載の歯列矯正方法。
【発明の詳細な説明】
【技術分野】
【０００１】
本発明は、歯列矯正に関し、特に歯列を矯正する装置に関する。さらに本発明は、停止部材を有する所定形状のニチノール製の歯列矯正用アーチで不正咬合の歯を矯正する方法（ただし医療行為は除く）とこの方法に使用される部品を有するパーツキットに関する。
【背景技術】
【０００２】
歯を動かすのに必要な力は、非常に小さく約0.025g/cm2である。これは、歯科用装置の毛細チューブの圧力に等しい。矯正する力が大きくなると、隣接する組織のヒアリン化（即ち壊死）と痛みが伴う。それ故に、歯列矯正用装置のワイヤに加える力を常に測定しなければならない。このことは、歯に過剰な力を掛けずにかなりの距離を動かすことができる超弾性のニチノール製ワイヤの場合にも当てはまる（非特許文献１を参照のこと）。
【０００３】
ツイストタイプのワイヤ、例えば"Twist Flex", "Respond", "Triple Flex", "Coaxial", "Turbo", "Force 9"等の名称のワイヤは、超柔軟性特性を有し叢生（例、歯が様々な方向を向くこと）を阻止する。"Blue Elgiloy"と"Yellow wires"は、処理されたスチール製ワイヤである。"TMA"は、チタンモリブデン合金製で超柔軟性があり取り扱い易いワイヤである。"Ht Gold"ワイヤは、弱い筋肉構造ゆえに最大の固定力を必要とする非常に不安定な患者即ち"dolicephalic Class II-1"の患者用である。Cu-Nitiワイヤは、銅合金製で高い柔軟性を提供する（非特許文献２を参照のこと）。
【０００４】
【非特許文献１】Atlas of Orthodontics, Principles and Clinical Applications, Dr Anthony Viazis, associate Orthodontics professor of the Baylor College of Dentistry, Dallas, Texas.  Edition 1995.
【非特許文献２】Diagnostico Clinico y Laboratorio de Doblado de Alambre (Clinical Diagnosis and Wire Bending Laboratory), Dr. Guillermo del Valle, Dr. Luis Ruiz Martinez, Ortodoncia I.D.A.P., Guadalajara, Jal.  Mexico.
【非特許文献３】Burstone, "Ortodoncia Clinica", Jose Antonio Canut Brusola, School of Medicine of the Universidad de Valencia, Edition 1992.
【発明の開示】
【発明が解決しようとする課題】
【０００５】
ニチノール（登録商標：ＮｉＴｉ合金）製の所定形状の歯列矯正用アーチを使用することは、現在公知である。ニチノール製ワイヤは、その超弾性特性故に歯列矯正に革命をもたらした。しかしニチノール製の歯列矯正用アーチの有効活用は、未だ十分ではない。特に臼歯に嵌められるバンドのチューブ内を歯がスライドすることが望ましくない場合である。それ故に、そのニチノールの超弾性特性を最大限に有効活用していない。
【０００６】
スチール製の歯列矯正用ワイヤとそれにより形成されたアーチの場合には、スライドすることは、曲げることにより阻止される。これはスチールの特性ゆえに可能である。しかしニチノール製のアーチでは曲げることはできない。これは既に述べたニチノールが有する超弾性特性がその理由である。
【０００７】
それゆえに前述の欠点を回避するために、停止部材を有する所定形状の歯列矯正用ワイヤを開発し、ニチノール製歯列矯正用ワイヤのアーチのスライドを阻止するのが、望ましい。
【課題を解決するための手段】
【０００８】
歯列矯正のために、ニチノール製歯列矯正用アーチを最大限活用する方法とこの方法を実行するパーツを収納するパーツキットを、以下説明する。
【実施例】
【０００９】
図１−３を参照すると、所定形状のニチノール製歯列矯正用アーチで歯列矯正を行うパーツキットは、請求項１記載の通りである。即ち、所定形状のニチノール製アーチにより歯列矯正するパーツキットは、
（Ａ）所定形状のニチノール製歯列矯正用アーチ１と、
（Ｂ）貫通孔を有する複数個の銀製の小球２と、
を有する。
前記小球２の貫通孔内に前記歯列矯正用アーチ１が挿入され、前記小球は、前記歯列矯正用アーチに固定されるまで平坦化される。その結果、小球の壁どうしがぶつかり、ニチノール製アーチの停止部材として機能する。
【００１０】
本発明の所定形状の歯列矯正用アーチ１は、小球をつぶして形成された停止部材２を追加することにより、得られる。かくして、本発明により、不要なスライド運動を阻止し、前記ニチノール製アーチ１の最大限の活用が可能となる。
【００１１】
前記停止部２は、Nitiに類似する他の材料（即ち、弾性がありかつ柔軟性のある材料）製のアーチに付加することもできる。ニチノール製のアーチは、様々な名称と特性名で市販されているため、ニチノール製アーチの適応及びそれに加える力は、それらを患者に使用する前に、十分に検証しなければならない。
【００１２】
本発明の一実施例のパーツキットは、次の物も含む。
【００１３】
（Ｃ）前記小球をアーチに固定するために、前記小球を変形させる「やっとこ」であるクランプ部材３をさらに有する。しかし、このクランプ部材３は、本発明のパーツキットにとって選択的な（入れても入れなくてよい）道具である。
【００１４】
（Ｄ）アストリンジェン溶液を含む容器をさらに有する。この溶液は、テスト期間中に、前記ニチノール製アーチに付着した食べ物の残りかすと脂肪と唾液を取り除く。
【００１５】
本発明は、歯列矯正の方法であり、この方法は、以下のステップを含む。
【００１６】
（Ａ）従来とうり、歯にブラケット４とバンド５を配置するステップ。
【００１７】
（Ｂ）歯を整合するステップ。このステップは、矯正歯科医の基準に基づいて選択されたワイヤの手段により実行される。前記ワイヤは、丸まって所定形状の１２番のニチノール製アーチからなり、停止部材が配置される前記所定形状のアーチ内の正確な場所をマークする為に、患者の歯列矯正用アーチに対し測定が最初になされる。その後、所定形状の歯列矯正用アーチから食べ物の残りかすと脂肪を取り除くために、アストリンジェンで処理する。これにより、食べ物の残りかすと脂肪が、前記停止部材に付着するのを阻止する。その後、所定形状の歯列矯正用アーチと歯に取り付けられたブラケットとの間の自由空間の面積を測定する。その後、所定形状の歯列矯正用アーチの端部が大臼歯のバンド５のチューブ内に導入される。その後、前記所定形状の歯列矯正用アーチは、前記ブラケット内に導入されて、モジュール手段（結紮材料）により保持される。最後に、患者の頬の組織を損傷するのを阻止するために、所定形状のニチノール製歯列矯正用アーチの余分な端部を切り落とす。
【００１８】
患者が装着する歯列矯正装置に加える力は、過大であってはならない。それゆえに、この力は、Dontrix（歯列矯正士が歯列にかける力を測定する装置）で測定しなければならない。それについて以下述べる。
【００１９】
このステップでは、口腔前庭の移動が行われる。かくして交差咬合を引き出し、押し込み、解放するため、かつ叢生を除去するために、歯列矯正用アーチを拡張する。この際、患者の咀嚼装置（即ち歯）に掛かる力に注意を払いながら、Dontrixでその力を測定しなければならない。この力は、丸まった１２番ワイヤで、５７グラムから１１４グラム（即ち2オンスから4オンス）の範囲内である。これが、遠位方向の動きや口腔前庭の動きにっも関わらす、交差咬合を引き出し押し込んだりするために、最適な物理的な力である。かくして、患者に傷を負わさず様々な従来の問題点を解決できる。より太いワイヤの場合には、特にこのことを考慮しなければならない（非特許文献２を参照のこと）。
【００２０】
非特許文献３による歯科の動きの分類によれば、この技術により行われる動きは、マス・ムーブメントである（非特許文献３を参照のこと）。
【００２１】
（Ｃ）全ての歯内にバランスの取れたレベルで、ブラケットを再配置するステップ。
【００２２】
（Ｄ）仮トルクをかけるために、０．１６ｘ０．２２の矩形断面のワイヤ（このワイヤは、ニチノール製で歯冠と歯根元の間の傾斜を制御する）と、必要により、結紮材料（矯正用アッタチメントや歯をアーチワイヤに固定するために用いるワイヤ又は材料）とを配置するステップ。これにより、全ての歯が初期位置に戻るのを防ぐ。
【００２３】
（Ｅ）トルクをかけ終了措置を施すステップ。これに対しては、０．１８ｘ０．２２の矩形断面のステンレス・ワイヤが必要である。このステンレス・スチール製のワイヤは、ブラケットのスロットを完全に充填して、最大のトルク制御を与える。結紮材料は、従来のものであり、必要に応じたものである。
【００２４】
上記した方法は、治療される患者に応じて様々な変形例がある。以下述べる。
【００２５】
前記（Ｂ）歯を整合するステップにおいて、歯の交差咬合を修正する為に、プレートを用いる。このステップは、実行するのが非常に簡単である。その理由は、小球２により生成される停止部材の助けにより治療が単純化されるからである。作業とそこに含まれるステップを省略し、所定形状のニチノール製アーチ１の活用を最大限にする。
【００２６】
抜歯が行われた後の空間を埋める場合、ステップ（Ｂ)の歯を整合する際、これは、必要により遠心または近心の動きを行うことにより行われる。この動作は、Alastic弾性チェーンの使用およびワイヤあるいはそのために適した他のアクセサリーの曲げ、および結紮材料の使用により行われる。
【００２７】
前記（Ｂ））歯を整合するステップにおいて、前記歯のレべリングが行われなかった場合、シュペー彎曲（curve of Spee）のレべリングが、歯を歯茎の内側で隣接する歯に対し垂直方向に動かすために、必要とされる。これは従来方法と同様であり、従来器具を用いて実行される。
【００２８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００２９】
【図１】本発明のパーツキットの構成要素の従来の斜視図。
【図２】停止部材を具備したニチノール製アーチの正面図。
【図３】停止部材を具備したニチノール製アーチを配列した歯列の斜視図。
【符号の説明】
【００３０】
１    アーチ
２    停止部材
３    クランプ（やっとこ）
４    ブラケット
５    バンド
【図１】
2009518107.tif 000003
【図２】
2009518107.tif 000004
【図３】
2009518107.tif 000005
【国際調査報告】
2009518107.tif 000006
2009518107.tif 000007
2009518107.tif 000008
2009518107.tif 000009
2009518107.tif 000010
2009518107.tif 000011
2009518107.tif 000012
2009518107.tif 000013